(57)【要約】 【課題】  コンパクトにして高速球払出しが可能で、しかも球詰まりの発生がないパチンコ機の球払出機構を提供する。【解決手段】  球払出機構は、４列の球誘導樋５を有する球タンク１と、球タンク１の端部に接続される球払出装置２と、球払出装置２の下部に接続される球誘導部材５０とからなる。球払出装置２に４列の上部球誘導路２１と、球払出し用のロータ２５とを設け、球誘導部材５０には２列の上部球誘導路２１を縮幅して一列に合流させた下部球誘導路５２を設ける。そして、ロータ２５の凹部２７から２列の下部球誘導路５２に交互に球を払い出すように、ロータ２５の取付け角度をずらして上部球誘導路２１に枢設することによって、合流する球の前後間隔を長くして球詰まりを防止することができる。【選択図】    図２
2005168984.tif 000002
【特許請求の範囲】
【請求項１】
球を貯留する球タンクと、該球タンクの端部に垂直方向に接続される球払出装置と、該球払出装置の下部に接続される球誘導部材とからなるパチンコ機の球払出機構であって、球タンクは、長方形箱体の一端に偶数列の球誘導樋が形成され、球払出装置は、前記球誘導樋に連通する偶数列の上部球誘導路と、該上部球通路に枢設された球払出し用のロータとを有し、球誘導部材は、隣接する２列の上部球誘導路を縮幅して一列に合流させた下部球誘導路を備えていることを特徴とするパチンコ機の球払出機構。
【請求項２】
球タンクの球誘導樋を４列として、この球誘導樋に対応して球払出装置に４列の上部球誘導路と４個のロータとを設け、球誘導部材には２列の下部球誘導路を設けたことを特徴とする請求項１に記載のパチンコ機の球払出機構。
【請求項３】
ロータは、円盤状回転体の外周部に球受け用の凹部を有しており、４個のロータから２列の下部球誘導路に交互に球を払い出すように、前記凹部の位置を所要の回転角度ずらして４個のロータを４列の上部球誘導路に枢設したことを特徴とする請求項２に記載のパチンコ機の球払出機構。
【請求項４】
２列の上部球誘導路が一列に合流する合流部の側壁を、斜め傾斜として徐々に縮幅し、この合流部を下部球誘導路に連通させたことを特徴とする請求項１〜３の何れかに記載のパチンコ機の賞球払出装置。
【請求項５】
２列の下部球誘導路を、下流側で一体に隣接させたことを特徴とする請求項２〜４の何れかに記載のパチンコ機の球払出機構。
【発明の詳細な説明】
【技術分野】
【０００１】
本発明は、パチンコ機の裏面に配設されて高速で球を上皿に払い出すためのパチンコ機の球払出機構に関するものである。
【背景技術】
【０００２】
パチンコ機の裏面には、合成樹脂製の機構盤が開閉自在に装着されており、該機構盤のほぼ中央部に開設された窓孔に遊技用の役物が配設されている。機構盤の上部には、球タンクと、球タンクに連設されたタンクレールとが配設されており、球タンク内の球をタンクレールを介して球誘導路の途中に設けた球払出装置に導くようになっている。
【０００３】
ところで、最近のパチンコ機においては、遊技の内容が複雑、高度化してきており、これに伴って役物も大型化されてきている。しかしながら、上記したように、従来の機構盤には球タンク、タンクレール、球誘導路、球払出装置などの部品が取り付けられているので、役物を大型化するには限界があった。
【０００４】
そこで、このような問題を解決するために、特許文献１には、上面が開口された長方形箱体の長さ方向の底部に一側から反対側に向けて断面凹形状の通路部を傾斜状に設けた球タンクが開示されている。しかしながら、この球タンクは、タンクレールを省略して実質的に球タンクに球誘導路を直結した構造のものであるので、タンク内の球が１ヶ所のタンク出口に集中する。また、多列多段となっている球列を球誘導路入口に向けて急激に一列一段に絞り込む必要があって、球タンク出口と球誘導路入口の間の通路部において球詰まりが発生しやすいものである。    
【０００５】
さらに、今日のパチンコ機においては、短時間で大量の球を払い出すことが求められて入るが、従来の球払出装置は、例えば３０００個／分というような高速球払出しを行うことははなはだ困難であった。
【特許文献１】特開平９−４７５５１号公報  (図１０)
【発明の開示】
【発明が解決しようとする課題】
【０００６】
本発明は上記した従来の問題点を解決して、コンパクトにして高速球払出しが可能で、しかも球詰まりの発生がないパチンコ機の球払出機構を提供するためになされたものである。
【課題を解決するための手段】
【０００７】
上記の課題を解決するためになされた本発明のパチンコ機の球払出機構は、球を貯留する球タンクと、該球タンクの端部に垂直方向に接続される球払出装置と、該球払出装置の下部に接続される球誘導部材とからなるパチンコ機の球払出機構であって、球タンクは、長方形箱体の一端に偶数列の球誘導樋が形成され、球払出装置は、前記球誘導樋に連通する上部球誘導路と、球を一球づつ送り出すロータとを備え、球誘導部材は、隣接する２列の上部球誘導路を縮幅して一列に合流させた下部球誘導路が設けられていることを特徴とするものである。
【０００８】
なお、球タンクの球誘導樋を４列として、この球誘導樋に対応して球払出装置に４列の上部球誘導路と４個のロータとを設け、隣接する上部球誘導路を合流させて球誘導部材に２列の下部球誘導路を設けることができる。また、ロータは、円盤状回転体の外周部に球受け用の凹部を有しており、４個のロータから２列の下部球誘導路に交互に球を払い出すように、前記凹部の位置を所要の回転角度ずらして４個のロータを４列の上部球誘導路に枢設するのが望ましい。また、２列の上部球誘導路が一列に合流する合流部の側壁を、斜め傾斜として徐々に縮幅し、この合流部を下部球誘導路に連通させることができ、さらに、２列の下部球誘導路を、下流側で一体に隣接させることができる。
【発明の効果】
【０００９】
本発明のパチンコ機の球払出機構において、球タンクには、長方形箱体の一端に偶数列の球誘導樋を形成し、球タンクに接続される球払出装置には、前記球誘導樋に連通する上部球誘導路と、球を一球づつ送り出すロータとを備えたうえに、球誘導部材には、２列の上部球誘導路をＹ字状に縮幅して一列に合流させる下部球誘導路を設けたので、球払出機構全体をコンパクトなものとして、遊技盤の裏側に役物取付け用のスペースを大きく確保することができる。また、球タンクに４列の球誘導樋を設け、これに対応して球払出装置及び下部球誘導路を設けたので、球を高速で払い出すことができる。
【００１０】
また、ロータの凹部から２列の下部球誘導路に交互に球を払い出すように、ロータの取付け角度をずらして上部球誘導路に枢設したので、合流する球の前後の間隔を大きく取ることができ、よって球詰まりを防止することができる。また、下部球誘導路の入口部の側壁を、斜め傾斜として下部球誘導路を徐々に縮径することによって、球の流下を円滑にすることができ、さらに、２列の下部球誘導路を、下流側で一体に接合させることによって、遊技盤裏側により大きなスペースを確保することができる。
【発明を実施するための最良の形態】
【００１１】
以下に図面を参照しつつ本発明の好ましい実施形態を説明する。図１、２に本発明に係るパチンコ機の球払出機構を示すが、この球払出機構は、球タンク１と、球タンク１の端部に接続される球払出装置２と、球払出装置２の下部に接続される球誘導部材５０とからなる。
【００１２】
<球タンクの構造>
球タンク１の詳細構造を図１、３、４、５により説明する。球タンク１は、外形が略直方形状の箱体３であって、この箱体３の底面４は一端から他端に向けて球が流下するように低く傾斜され、その下流側端部には４列の球誘導樋５が湾曲して設けられている（図４）。この球誘導樋５の底面には、複数の段差部６が形成されていて、湾曲による抵抗と段差部６による球落下の加速により前後の球をばらけさすようになっている。また、球誘導樋５の曲がり角には、球１個分より上方の側面に曲率をやや小さくした凹部５ａが設けてあって、２段目以上の球の流下を遅らせて球を均すようにもなっている。
【００１３】
そして、球誘導樋５の入口より上流側の箱体３の底面４には、それぞれの入口に向けて球を仕分けて流入させる小仕切り板７と大仕切り板８が立設され、これらの仕切り板７、８の上端は、下流側に向けて上昇させて箱体底面４に対して逆傾斜するものしてあるので、球を単列にして仕分けて球誘導樋５の入口に案内することができる（図３）。なお、中央の大仕切り板８は、球タンク１内の球の流れを左右に大きく２分割するためのものであって、上端には左右に向けて傾斜が設けられている。また、球誘導樋５の入口より上流の箱体３の底面４の両サイドには、箱体底面４に対して逆傾斜させた側部斜面１１が設けてあって、球の誘導を容易としてある。
【００１４】
さらに、球誘導樋５の上方には、底面４に対して逆傾斜する板状底面１２を有するタンク補助部材１３が着脱自在に装着されており、球誘導樋５の上部を覆って、球の上方からの流入を遮断している。タンク補助部材１３は、球タンク１内の球が大量になった時に、その底面１２に球を収容することができる。そして、タンク補助部材１３の裏面には、図５に示す球押さえ片１４が球誘導樋５の中央を通るように湾曲して垂設されている。この球抑え片１４は下流側にかけて徐々に長く形成して、球誘導樋５の高さが徐々に低くなるようにしてあるので、球列の上側を押圧して球を徐々に一段に均すことができる。よって、球誘導樋５から球は一段一列になって球払出装置２に送り込まれる。
【００１５】
<球払出装置の構造>
次に、球払出装置２の詳細構造を図１、２、３、６、７、８、９により説明する。球払出装置２は、球タンク１の下流側端部の垂直方向に着脱自在に接続されるものであって、球誘導樋５に連通する４列の上部球誘導路２１を有し、この上部球誘導路２１は球払出装置２の下部で隙間のないように内側に寄せて合体されている（図１、２）。上部球誘導路２１にはモータＭによりギア２３、２４を介して回転される４つのロータ２５と、４つの球計数センサー２６とが配設されている（図２、３）。ロータ２５には円盤状の回転体の外周部に球受け用の凹部２７が１２０°の間隔をおいて３ヶ所設けられている（図６）。
【００１６】
ロータ２５は軸部２５１の両端に二個のロータ２５が一体に形成されたものであって、二個一体のロータ２５二組がカップリング部２５２により接続されている（図７）。したがって、１個のモータＭにより全ロータ２５を駆動させて、高速かつ高精度に球を払い出すことができる。また、球計数センサー２６も二個一体型のものであって、これがロータ２５に対応して配置されているので、ロータ２５が高速で払い出す球を確実に計数することができる。また、ロータ２５は球タンク１に近づけて配置したので、ロータ２５にかかる球圧を小さくすることができ、よって、小型のモータＭにてロータ２５を駆動することができる。
【００１７】
上部球誘導路２１には、ロータ２５の上方から分岐する上部球抜き路２８が設けられており（図１）、球誘導部材５０の下部球抜き路５５に連通している。球抜き路２８は、その入口が球抜き弁２９によって通常は閉鎖されていて、球を上部球誘導路２１側に流す。球抜き弁２９は、図８、９に示すような形状のものであって、Ｕ字型の可撓部３０の上部に作動摘み部３１、ストッパー３２を有し、下端には球抜き路２８の入口を塞ぐ弁部３３が４箇所突設されている。この球抜き弁２９は、球払出装置２の支持部３５に摺動可能に装着されている。
【００１８】
<球誘導部材の構造>
球誘導部材５０の構造を図１、２により説明する。球誘導部材５０には、上部球誘導路２１に連通する２列の合流部５１と、この２列の合流部５１がＹ字状に一体に合流した下部球誘導路５２とが形成されている。上部球誘導路２１は４列であるので、下部球通路５２は２列である。
【００１９】
下部球誘導路５２の合流部５１の側壁５３は、垂直方向に対して１０°以下の約７°の斜め傾斜として、下部球誘導路５２を徐々に縮幅してある。例えば図１０に示すように、合流部５１の側壁５３の傾斜を約１５°とした場合には、球が側壁５３に衝突してリバウンドが生じ、球詰まりが発生しやすくなる。したがって、側壁５３の傾斜を１０°以下とすることによって、２列で流下する球の方向を緩やかに変化させて一列に円滑合流させることができる。
【００２０】
２列の下部球誘導路５２の間には隙間のないように、下流側で一体に隣接されているので、遊技盤裏側により大きなスペースを確保することができる。
【００２１】
<球払出装置における球払出し方式>
隣接する２列の上部球誘導路２１からの球の払出しタイミングが悪いと、例えば、図１０の左列部に示すように、二つの球が側壁５３で噛み合って球詰まりが発生する。球の払出しを図２に示すNo.1ロータ２５ａ、No.２ロータ２５ｂ、No.３ロータ２５ｃ、No.４ロータ２５ｄの順に行うようにしても、球の払出しタイミングをずらすことはできる。しかし、合流する球が連続して払い出されるので球詰まり対策として十分なものではない。
【００２２】
そこで、本発明においては合流する球同士の間隔をさらに長くするために、ロータ２５の凹部２７から２列の下部球誘導路５２に交互に球を払い出すように、ロータ２５の取付け角度をずらして上部球誘導路２１の側面に枢着した。すなわち、図１１に示すように、先ず第１球誘導路２１ａに基準となるNo.１ロータ２５ａを配設する。次に、第３球誘導路２１ｃに凹部２７をNo.１ロータ２５ａより３０°回転方向に対して遅らせてNo.３ロータ２５ｃを配設する。次に、第２球誘導路２１ｂに凹部２７をNo.３ロータ２５ｃより３０°遅らせてNo.２ロータ２５ｂを配設する。さらに、第４球誘導路２１ｄに凹部２７をNo.２ロータ２５ｂより３０°遅らせてNo.４ロータ２５ｄを配設する。
【００２３】
以上のように、各ロータ２５を所定角度ずつずらして配設することによって、図２に示すように球１、２、３、４、の順にして、球を下部球誘導路５２に交互に送出することができる。したがって、１番めに払い出された球と３番めに払い出された球、或いは、２番めに払い出された球と４番めに払い出された球を合流させることができるので、１番めに払い出された球と２番めに払い出された球を合流させる場合に比較して、合流する球の前後の間隔を２倍に取ることができる。したがって、球の噛み合いによる球詰まりを確実に防止することができる。
【００２４】
なお、球の払出し順序は上記に限定されるものではなく、例えばNo.２ロータ２５ｂ→No.３ロータ２５ｃ→No.１ロータ２５ａ→No.４ロータ２５ｄの順としても、下部球誘導路５２に交互に球を払出すことができるので、何ら差し支えはない。また、このように下部球誘導路５２に交互に球を払い出すので、上皿にも下部球誘導路５２から球を前後にずらして送出することができ、球出口部などにおける球詰まりを防止することができる。
【００２５】
以上に説明したように、本発明のパチンコ機の球払出機構は、コンパクトにして高速球払出しが可能で、しかも球詰まりの発生がないという大きな利点を有する。
【図面の簡単な説明】
【００２６】
【図１】本発明に係る球払出機構の構造を示す正面の断面図である。
【図２】球払出機構の側面の断面図である。
【図３】球タンクと球払出し装置の斜視図である。
【図４】球タンクの要部を示す斜視図である。
【図５】タンク補助部材の斜視図である。
【図６】球払出装置要部の斜視図である。
【図７】球払出装置要部の側面図である。
【図８】球抜き弁の前面を示す斜視図である。
【図９】球抜き弁の背面を示す斜視図である。
【図１０】球詰まりが発生しやすい球誘導部材の正面の断面図である。
【図１１】ロータの取付け状態を説明する断面図である。
【符号の説明】
【００２７】
１  球タンク  
２  球払出装置
５  球誘導樋
２１、２１ａ、２１ｂ、２１ｃ、２１ｄ  上部球誘導路
２５、２５ａ、２５ｂ、２５ｃ、２５ｄ  ロータ
２７  ロータの凹部
５０  球誘導部材
５１  合流部
５２  下部球誘導路
５３  合流部の側壁
【図１】
2005168984.tif 000003
【図２】
2005168984.tif 000004
【図３】
2005168984.tif 000005
【図４】
2005168984.tif 000006
【図５】
2005168984.tif 000007
【図６】
2005168984.tif 000008
【図７】
2005168984.tif 000009
【図８】
2005168984.tif 000010
【図９】
2005168984.tif 000011
【図１０】
2005168984.tif 000012
【図１１】
2005168984.tif 000013